(57)【要約】【課題】硬貨を搬送する搬送部での硬貨の目詰まり、取り残しを生ぜず、硬貨返却および釣銭払い出しに際しての硬貨搬送を確実に行うことができる硬貨処理装置を提供する。【解決手段】硬貨を投入する投入口部１と、返却硬貨を出金する出金口２と、投入口部１から投入された硬貨を一時保留し、取引の完了後に放出する一時保留部７と、一時保留部から放出された硬貨を収納するとともに、釣銭を払い出す必要がある際に、収納した硬貨を１枚ずつ放出可能に構成された釣銭部８と、釣銭部から放出された硬貨を上方に搬送する上昇釣銭搬送部９と、上昇釣銭搬送部によって搬送された硬貨を返却硬貨として出金口に略水平に搬送する出金搬送部１０とを備える。【選択図】図１
2011086318.tif 000002
【特許請求の範囲】
【請求項１】
硬貨を投入する投入口部と；
返却する硬貨を出金する出金口と；
前記投入口部から投入された硬貨を一時保留し、一時保留後に放出する一時保留部と；
前記一時保留部から放出された硬貨を収納するとともに、収納した硬貨を１枚ずつ放出可能に構成された釣銭部と；
前記釣銭部から放出された硬貨を上方に搬送する上昇釣銭搬送部と；
前記上昇釣銭搬送部によって搬送された硬貨を前記出金口に向けて略水平に搬送する出金搬送部とを備える；
硬貨処理装置。
【請求項２】
前記釣銭部から放出された硬貨が、前記上昇釣銭搬送部で重なりを生じないように構成された；
請求項１に記載の硬貨処理装置。
【請求項３】
前記釣銭部に硬貨を補充し、前記釣銭部から硬貨を回収する循環釣銭補充部を備える；
請求項１または請求項２に記載の硬貨処理装置。
【請求項４】
前記出金搬送部が、前記上昇釣銭搬送部によって搬送された硬貨を前記循環釣銭補充部に向けて略水平に搬送する；
請求項３に記載の硬貨処理装置。
【請求項５】
前記循環釣銭補充部が、収納している硬貨を補充硬貨として１枚ずつ放出する硬貨処理装置であって；
前記循環釣銭補充部によって放出された硬貨を上方に搬送する上昇補充搬送部とを備える；
請求項３または請求項４に記載の硬貨処理装置。
【請求項６】
前記循環釣銭補充部に硬貨を補充する補充カセットを備える；
請求項３乃至請求項５いずれか１項に記載の硬貨処理装置。
【請求項７】
前記釣銭部に硬貨を補充する予備補充部を備え；
前記循環釣銭補充部が、所定の第１金種の硬貨を前記釣銭部に補充し；
前記予備補充部が、前記所定の第１金種以外の第２金種の硬貨を前記釣銭部に補充する；
請求項６に記載の硬貨処理装置。
【請求項８】
前記補充カセットが、前記第１金種の硬貨を前記循環釣銭補充部に補充し；
前記補充カセットが、前記第２金種の硬貨を前記予備補充部に補充する；
請求項７に記載の硬貨処理装置。
【発明の詳細な説明】
【技術分野】
【０００１】
本発明は、硬貨処理装置に関し、特に硬貨を循環使用する硬貨処理装置に関する。
【背景技術】
【０００２】
従来の硬貨処理装置は、公開公報、特開平１０−２５５１０２号に開示されているように、硬貨を受け入れる投入口部（入金部）や、その投入硬貨を一時保留する一時保留部や、次の利用者の取引開始により一時保留部に保留された硬貨を収納し循環硬貨としての利用を可能に構成された釣銭部(硬貨貯溜部)などを含んで構成されていた。また、利用者に対してバリアフリーを考慮して、投入口部の高さと、釣銭部からの放出硬貨や取引の返却による返却硬貨が放出される出金口の高さとを同程度にするための出金搬送部を備えた硬貨処理装置が開発されている。
【０００３】
この出金搬送部は、釣銭部よりも低い位置に配置された第１ベルトコンベアと、この第１ベルトコンベアで搬送されて来る釣銭用の硬貨を受け取り、この硬貨を対向ベルト間に挟持しつつ上方向へ搬送して、上方位置に設けられている出金口へ搬出する第２ベルトコンベアを含んだ構成となっていた。
【０００４】
上記の一時保留部は、通常の場合には、次の利用者の取引開始により一時保留した硬貨を釣銭部へ放出する。これは、利用者からの苦情があった場合に備え、利用者が投入した複数の硬貨を保留しておき、無用のトラブルを防止するためであった。一方、利用者により取消処理が指示された場合には、取消ボタンの押下を検出した時点で、全ての硬貨を出金搬送部の第１ベルトコンベアへ落下し、第１および第２ベルトコンベアにより排出することで返却していた。また、釣銭部は、釣銭の払い出しの必要がある場合に、やはり複数の硬貨を第１ベルトコンベアへ落下し、第１および第２ベルトコンベアで搬送することで出金口に放出していた。
【発明の概要】
【発明が解決しようとする課題】
【０００５】
ところが、上述の各処理が発生した場合には、停止している第１ベルトコンベアに、複数の硬貨を一度に落下、排出あるいは放出するので、特に返却においては大量の硬貨が一時保留部に集積されている場合もあり、複数の硬貨が第１ベルトコンベア上で重なり合うことがあった。このような場合には、第１ベルトコンベアから上方向へ方向転換して対向ベルト間に挟持する第２ベルトコンベアで目詰まりが発生したり、十分な挟持状態が発揮されずに一部硬貨が取り残されるなどの硬貨搬送に対する信頼性が十分ではなかった。
【０００６】
また、業務開始時には補充カセットから多量の準備金を補充して準備し、業務終了時には多量の硬貨を全て回収金庫に回収する必要があり、準備金の補充、回収金の回収に時間がかかっていた。
【０００７】
そこで、第１発明は、硬貨を搬送する搬送部での硬貨の目詰まり、取り残しを生ぜず、硬貨返却および釣銭払い出しに際しての硬貨搬送を確実に行うことができる硬貨処理装置を提供することを目的とする。また、第２発明は、回収金庫に回収する硬貨の量を減らし、また装置の作動前に用意する準備金の量を減らし、係員の負担を軽減することのできる硬貨処理装置を提供することを目的とする。
【課題を解決するための手段】
【０００８】
上記目的を達成するために、請求項１に係る発明による硬貨処理装置１０１は、例えば図１に示すように、硬貨を投入する投入口部１と；返却する硬貨を出金する出金口２と；投入口部１から投入された硬貨を一時保留し、一時保留後に放出する一時保留部７と；一時保留部７から放出された硬貨を収納するとともに、収納した硬貨を１枚ずつ放出可能に構成された釣銭部８と；釣銭部８から放出された硬貨を上方に搬送する上昇釣銭搬送部９と；上昇釣銭搬送部９によって搬送された硬貨を出金口２に向けて略水平に搬送する出金搬送部１０とを備える。
【０００９】
このように構成すると、投入口部１と、出金口２と、一時保留部７と、釣銭部８と、略水平に搬送する出金搬送部１０とを備え、釣銭部８が、釣銭部８から放出された硬貨を上方に搬送する上昇釣銭搬送部９を有するので、返却の場合には投入口部１から投入され一時保留部７に一時保留された硬貨は、一時保留部７の下方に設けられる略水平に配置された出金搬送部１０により硬貨が搬送され、出金口２に向けて排出されるので、水平方向から上方に硬貨の搬送方向を転換する転換部がないので、確実に搬送することができる。また釣銭を払い出す必要がある場合には、釣銭部８から放出された硬貨を上昇釣銭搬送部９によって上方に搬送し、出金搬送部１０へ搬送後に釣銭として出金口２に向けて放出するので、上昇釣銭搬送部９から放出される硬貨は一枚ずつとなり、そこでの硬貨の重なりが起きにくく、硬貨の詰まりや取り残しが生ぜず、確実に搬送することができる。
【００１０】
請求項２に係る発明による硬貨処理装置は、請求項１に記載の硬貨処理装置において、例えば図１に示すように、釣銭部８から放出された硬貨が、上昇釣銭搬送部９で重なりを生じないように構成される。
【００１１】
釣銭部８から放出された硬貨が、上昇釣銭搬送部９で重なりを生じないように構成されるので、上昇釣銭搬送部９で硬貨の詰まり、硬貨の取り残しが生ぜず、硬貨の搬送を確実に行うことができる。上昇釣銭搬送部９で重なりを生じないように構成するには、例えば上昇釣銭搬送部９による搬送速さを、釣銭部８から放出される硬貨の放出速さ以上にするとよい。
【００１２】
請求項３に係る発明による硬貨処理装置は、請求項１または請求項２に記載の硬貨処理装置において、例えば図１に示すように、釣銭部８に硬貨を補充し、釣銭部８から硬貨を回収する循環釣銭補充部１１を備える。
【００１３】
このように構成すると、循環釣銭補充部１１を備えるので、収納された硬貨を釣銭部８との間で循環させて利用することができる。すなわち循環釣銭補充１１および釣銭部８とに収納された硬貨を釣銭として効率よく利用することができ、準備金の量を少なくすることも可能となる。
【００１４】
また、循環釣銭補充部１１および釣銭部８により硬貨の循環と枚数管理を行うことで、業務終了時に所定の準備金を釣銭部８に用意することができる。
【００１５】
請求項４に係る発明による硬貨処理装置１０１は、請求項３に記載の硬貨処理装置において、例えば図１に示すように、出金搬送部１０が、上昇釣銭搬送部１２によって搬送された硬貨を循環釣銭補充部１１に向けて略水平に搬送する。
【００１６】
このように構成すると、出金搬送部１０が、上昇釣銭搬送部１２によって搬送された硬貨を循環釣銭補充部１１にも向けて略水平に搬送するので、出金搬送部１０を硬貨の出金口２への返却、および硬貨の循環釣銭補充部１１への回収に兼用することができ、装置を小型化することができる。
【００１７】
請求項５に係る発明による硬貨処理装置１０１は、請求項３または請求項４に記載の硬貨処理装置１０１において、例えば図１に示すように、循環釣銭補充部１１が、収納している硬貨を１枚ずつ放出する硬貨処理装置であって；循環釣銭補充部１１によって放出された硬貨を上方に搬送する上昇補充搬送部１２を備える。
【００１８】
このように構成すると、上昇補充搬送部１２を上昇釣銭搬送部９とほぼ同様な構造とすることができ設計や組立が簡単となる。また、循環釣銭補充部１１によって放出された硬貨を上方に搬送する上昇補充搬送部１２を備えるので、釣銭部８と、釣銭部８によって放出された硬貨を上方に搬送する上昇釣銭搬送部９との組み合わせとほぼ同様な構造とすることができ、循環釣銭補充部１１を釣銭部８に併設する配置とすることができる。よって、装置の構造を単純とすることができ、装置の高さを低くすることができる。硬貨処理装置１０１は、循環釣銭補充部１１によって補充硬貨として１枚ずつ放出された硬貨が、上昇補充搬送部１２で重なりを生じないように構成されていることが望ましい。
【００１９】
請求項６に係る発明による硬貨処理装置１０１は、請求項３乃至請求項５に記載の硬貨処理装置１０１において、例えば図１に示すように、循環釣銭補充部１１に硬貨を補充する補充カセット１５を備える。
【００２０】
このように構成すると、補充カセット１５を備えるので、例えば循環釣銭補充部１１で硬貨不足が発生した際に、循環釣銭補充部１１に補充カセット１５から硬貨を補充することができる。例えば釣銭部８に硬貨不足が発生した場合に、循環釣銭補充部１１から硬貨が補充されるが、循環釣銭補充部１１に十分な硬貨が収納されていない場合は、循環釣銭補充部１１からの補充の途中に、循環釣銭補充部１１の硬貨不足が発生する。この場合、補充カセット１５から循環釣銭補充部１１に硬貨が補充され、循環釣銭補充部１１から釣銭部８に硬貨が補充されるようにするとよい。
【００２１】
請求項７に係る発明による硬貨処理装置１０１は、請求項６に記載の硬貨処理装置１０１において、例えば図１に示すように、釣銭部８に硬貨を補充する予備補充部１７を備え；循環釣銭補充部１１が、所定の第１金種の硬貨を釣銭部８に補充し；予備補充部１７が、前記所定の第１金種以外の第２金種の硬貨を釣銭部８に補充する。
【００２２】
このように構成すると、予備補充部１７を備え、例えば釣銭部８で所定の第１金種の硬貨の不足が発生した場合に、循環釣銭補充部１１が、当該硬貨を釣銭部８に補充し、予備補充部１７が、前記所定の第１金種以外の第２金種の硬貨を釣銭部８に補充するので、第１金種の硬貨に加えて第２金種の硬貨を釣銭部８に補充することができ、硬貨不足による装置の停止頻度を減少させることができる。
【００２３】
請求項８に係る発明による硬貨処理装置１０１は、請求項７に記載の硬貨処理装置１０１において、例えば図１に示すように、補充カセット１５が、前記第１金種の硬貨を循環釣銭補充部１１に補充し；補充カセット１５が、前記第２金種の硬貨を予備補充部１７に補充する。
【００２４】
例えば釣銭部８、または循環釣銭補充部１１に硬貨不足が発生した際に、補充カセット１５から循環釣銭補充部１１に加えて予備補充部１７に硬貨を補充することができる。釣銭部８へは、補充がなされた予備補充部１７から、硬貨を補充するとよい。
【発明の効果】
【００２５】
以上のように本発明によれば、投入口部と、出金口と、一時保留部と、釣銭部と、出金搬送部とを備え、釣銭部が、釣銭部から放出された硬貨を上方に搬送する上昇釣銭搬送部を有するので、投入口部から投入された硬貨は、一時保留部に一時保留され、一時保留後に放出され、放出された硬貨は、釣銭部に収納され、釣銭を払い出す必要がある際に釣銭部から１枚ずつ放出され、放出された硬貨は上昇釣銭搬送部によって上方に搬送され、搬送された硬貨は出金搬送部によって出金口に略水平に搬送される。釣銭部からの硬貨の放出は、１枚ずつ行われるので、上昇釣銭搬送部での硬貨の重なりが起こりにくく、上昇釣銭搬送部で硬貨の詰まり、取り残しが生ぜず、硬貨の搬送を確実に行うことができる。出金口に搬送された硬貨は、通常は例えば返却硬貨として出金される。
【図面の簡単な説明】
【００２６】
【図１】（Ａ）は、本発明の実施の形態である硬貨処理装置の模式的左側断面図、（Ｂ）は、正面断面図、（Ｃ）は、１０円用循環釣銭補充部の右側面断面図、（Ｄ）は、５０円用釣銭部の右側面断面図、（Ｅ）は、５０円、５００円、１００円、１０用釣銭部の右側面断面図を示す。
【図２】図１の硬貨処理装置の設置を説明するブロック図である。
【図３】図１の硬貨処理装置の出金動作の作用を説明する図面である。（Ａ）〜（Ｅ）の区別は、図１と同様である。
【図４】図１の硬貨処理装置の返却動作の作用を説明する図面である。（Ａ）〜（Ｅ）の区別は、図１と同様である。
【図５】図１の硬貨処理装置の収納動作の作用を説明する図面である。（Ａ）〜（Ｅ）の区別は、図１と同様である。
【図６】図１の硬貨処理装置の補充、循環動作の作用を説明する図面である。（Ａ）〜（Ｅ）の区別は、図１と同様である。
【図７】図１の硬貨処理装置の補充カセットによる補充の作用を説明する図面である。（Ａ）〜（Ｅ）の区別は、図１と同様である。
【図８】図１の硬貨処理装置の回収動作の作用を説明する図面である。（Ａ）〜（Ｅ）の区別は、図１と同様である。
【発明を実施するための形態】
【００２７】
以下、本発明の実施の形態について、図面を参照して説明する。なお、各図において互いに同一あるいは相当する部材には同一符号を付し、重複した説明は省略する。
【００２８】
図１の模式図を参照して、本発明の実施の形態である硬貨処理装置１０１の構成を説明する。図１（Ａ）は模式的（以下図面は全て模式的図面であり「模式的」の文言を省略）左側面断面図、図１（Ｂ）は正面断面図、図１（Ｃ）は後述の循環釣銭補充部１１ｂ部分の右側面断面図、図１（Ｄ）は後述の釣銭部８ａ、ｂ部分の右側面断面図、図１（Ｅ）は後述の釣銭部８ａ、ｂ、ｃ、ｄ部分の右側面断面図である。以下図番の後に付した（Ａ）から（Ｅ）の意味するところは、図３から図８において同様である。なお、図１（Ａ）、図１（Ｃ）から（Ｅ）において、構造を理解しやすくするために、適宜各部分の断面を取り、断面の全体は平面とはなっていない（図３から図８において同様）。
【００２９】
硬貨処理装置１０１は、投入口部１、出金口２、繰出部３、入金搬送部４、検銭部５、振分部６、一時保留部７、釣銭部８、上昇釣銭搬送部９、出金搬送部１０、循環釣銭補充部１１、上昇補充搬送部１２、シャッタ機構１４、補充カセット１５、リジェクト部１６、予備補充部１７、金庫部通路１８、制御部１９を含んで構成される。出金搬送部１０の循環釣銭補充部１１側にはシャッタ機構１４が備えられている。制御部１９は、硬貨処理装置１０１内での各種信号の入出力を行い各部の制御をしている。制御部１９は、不図示のインターフェイスを備えており、外部との信号の通信ができる。硬貨処理装置１０１の下部には、スライドレール２０が備えられており、所定のストロークだけ硬貨処理装置１０１を容易に移動させることができる。さらにスライドレール２０の下方には、金庫部２１が設置されている（図２参照）。また、金庫部２１は、硬貨処理装置１０１の下部に直接取り付けてもよい。ただし、この場合は、例えば金庫部２１を引き出すようにして、収納された硬貨を容易に取り出せるようにすることが好ましい。なお本実施の形態で使用する硬貨は、日本円硬貨で、１０円、５０円、１００円、５００円の４金種とする。
【００３０】
投入口部１は、硬貨処理装置１０１の図１（Ｂ）中、左側面のおよそ中央部に設けられ、利用者が複数の硬貨を一括で投入することができ、出金口２は、投入口部１の近傍に設けられ、後述の第１リジェクト硬貨、返却硬貨、釣銭硬貨、異物等が放出できる。
【００３１】
投入口部１の硬貨の流れる方向下流には、ベルトホッパ構造の繰出部３が備えられており、一括で投入された複数の硬貨を１枚ずつに分離して入金搬送部４へ繰り出す。また繰出部３は、一括投入枚数６枚、繰出速度６枚／秒が可能であり、収納可能枚数は、１０円が３０枚程度とするとよい。分離できない異物は、投入口部１の下部に取り付けられたリジェクトフラッパ２２を出金口２に対して閉から開にすることにより出金口２に排出する。
【００３２】
入金搬送部４は、硬貨を挟持して搬送するベルトを含んで構成されている。入金搬送部４は、繰出部３の上部から振分部６まで延設されており、繰出部３より繰り出された硬貨を、検銭部５を通過させ、さらに振分部６まで搬送する。検銭部５は、入金搬送部４の途中に設けられている。よって、その位置は、繰出部３と振分部６との間である。検銭部５は、硬貨が正硬貨か否か、硬貨の金種および枚数を判定し、その判定結果を制御部１９へ出力するものである。
【００３３】
そして振分部６は、硬貨を検銭部５の判定結果により金種毎に振り分ける。また振分部６は、金種毎に不図示のフラッパ（振り分け爪）とそれぞれに対応する不図示の穴を有している。また、フラッパは不図示のソレノイドにより駆動される。フラッパにより振り分けられた硬貨は、それぞれに対応する穴を通り、振分部６の下方に備えられた一時保留部７に落下する。
【００３４】
そして振分部６は、硬貨を計数するための不図示の検知器を有しており、振り分けられた硬貨を金種毎に計数できる。さらに振分部６の繰出部３側には、検銭部５により異常硬貨と判定された硬貨や判定されなかった硬貨（以下第１リジェクト硬貨という）を振り分けるための不図示のフラッパが設けられている。このフラッパに対応する不図示の穴の下方には、入金リジェクト通路２９が設けられており、出金搬送部１０の上方近傍まで延設されている。この入金リジェクト通路２９により、第１リジェクト硬貨を、出金搬送部１０へ放出することができる。
【００３５】
一時保留部７は、硬貨を収納する収納部７ｅと、開閉可能なシャッタ７ｆ、ｇとで構成されている。一時保留部７は、シャッタ７ｇを開くことにより収納された硬貨を放出できる。一時保留部７は、各金種毎に振分部６のフラッパの下方に設けられ、入金された硬貨を一時保留する。一時保留部７は、例えば１つの取引の終了後に、一時保留された硬貨を、各一時保留部７下部にそれぞれ設けられたシャッタ７ｇを開とすることで釣銭部８へ搬送するために放出する。
【００３６】
また利用者の返却操作時には、シャッタ７ｆを開くことにより、各一時保留部７から返却硬貨が排出される。排出された返却硬貨は各一時保留部７の下方で、出金搬送部１０の上部近傍まで延設された返却通路２３により出金搬送部１０へ排出される。釣銭部８への硬貨の放出は、次の取引で投入された硬貨のうち、最初の硬貨が検銭部５で検知された時に行なうようにしてもよい。さらに、このときを１つ前の取引の終了時としてもよい。一時保留部７は、図１（Ｂ）中、左側から５０円用一時保留部７ａ、５００円用一時保留部７ｂ、１００円用一時保留部７ｃ、１０円用一時保留部７ｄのように構成されている（以下、これらを特に区別しない場合には単に一時保留部７という）。また各一時保留部の収納可能枚数は、１０円用一時保留部７ｄ、１００円用一時保留部７ｃ、５０円用一時保留部７ａがそれぞれ２０枚程度、５００円用一時保留部７ｂが１０枚程度とするとよい。
【００３７】
そして釣銭部８は、各金種毎に、硬貨を収納する収納ケース２４、収納されている硬貨の量を検出する不図示の検出器、収納した硬貨を１枚ずつ放出できるホッパ２５を備えている。ホッパ２５は、円板２５ａを有しており、円板２５ａを回転させることにより硬貨を１枚ずつ放出できる。釣銭部８は、８枚／秒（５００円用釣銭部８ａは、６枚／秒）で硬貨を放出することが可能である。
【００３８】
釣銭部８は、一時保留部７の下方に設けられている。さらに釣銭部８には、放出した硬貨を検知するための不図示の検知器を有しており、この検知器により釣銭部８より放出した硬貨を金種毎に計数できる。
【００３９】
釣銭部８は、図１（Ｂ）中、左側から５０円用釣銭部８ａ、５００円用釣銭部８ｂ、１００円用釣銭部８ｃ、１０円用釣銭部８ｄのように構成されている（以下、これらを特に区別しない場合には単に釣銭部８という）。また各釣銭部の収納可能枚数は、１００円用釣銭部８ｃ、１０円用釣銭部８ｄがそれぞれ１０００枚程度、５０円用釣銭部８ａ、５００円用釣銭部８ｂがそれぞれ５００枚程度とするとよい。
【００４０】
上昇釣銭搬送部９は、各釣銭部８に設けられたホッパ２５により１枚ずつ放出された硬貨をベルトにより挟持して鉛直方向上方に搬送し、挟持された硬貨は出金搬送部１０に搬送される。上昇釣銭搬送部９により挟持され搬送される硬貨の搬送速さを、ホッパ２５より放出される硬貨の放出速さ以上にするとよい。本実施の形態では、制御手段である制御部１９によって釣銭部８（ホッパ２５）から硬貨が放出される硬貨放出速さと、上昇釣銭搬送部９の硬貨搬送速さが同じになりかつ両者が一定となるように制御されている。このようにすると上昇釣銭搬送部９で硬貨の重なりを生じないので、上昇釣銭搬送部９における硬貨の目詰まりが生ぜず、硬貨が上昇釣銭搬送部９のベルトよりはみ出て搬送されるようなことがなく、また上昇釣銭搬送部９のベルトに取り残されることがないので、硬貨の搬送を１枚ずつ確実に行うことができる。
【００４１】
また、硬貨がホッパ２５より放出される間隔を十分にとり、上昇釣銭搬送部９で硬貨の重なりを生じないようにすることが望ましい。例えば、放出間隔に上昇釣銭搬送部９の搬送速さをかけたものが最大硬貨の直径より大きくなるようにするとよい。硬貨は、上昇釣銭搬送部９によって、重なりなく１枚ずつ鉛直方向上方へ搬送される。さらに上昇釣銭搬送部９から放出された硬貨は、出金搬送部１０に放出される。出金搬送部１０は硬貨を水平に搬送するので、そのベルト上に積み重なった状態であっても目詰まり、挟持不足などによる搬送不良が生じにくく硬貨の搬送を確実に行うことができる。
【００４２】
上昇釣銭搬送部９は、釣銭部８の放出口近傍の部分が図１（Ｂ）中、Ｐ方向に可動に構成され、Ｐ方向に動くことにより金庫部２１（図２参照）に連通する金庫部通路１８に硬貨を振り分けることができる。当該部分がＰ方向に動かない場合（図に示す場合）は、硬貨は上昇釣銭搬送部９によって、出金搬送部１０に振り分けられる。すなわち、釣銭部８は、利用者への釣銭としての硬貨を出金搬送部１０へ放出したり、釣銭部８が満杯にならないように、収納した硬貨を金庫部２１へ放出することもできる。
【００４３】
出金搬送部１０は、釣銭部８の上方であって正面断面図（図１（Ｂ））の中央に配置され、出金口２からリジェクト部１６まで延設されている。また出金搬送部１０は、硬貨を水平方向に搬送するよう構成されている。出金搬送部１０は、硬貨を上に載せて搬送するベルトと不図示の駆動手段とを含んで構成されている。
【００４４】
また出金搬送部１０は、搬送方向を図１（Ｂ）中、左方向とすることで、利用者へ放出すべき釣銭、第１リジェクト硬貨、返却硬貨を出金口２まで搬送する。出金搬送部１０は、また図１（Ｂ）中、搬送方向を右方向とすることで、釣銭放出時に、例えば未放出や過放出等、所定の放出がなされずに異常となった硬貨(以後第２リジェクト硬貨とする)をリジェクト部１６に搬送できるように構成されている。シャッタ機構１４は、図１（Ｂ）中、出金搬送部１０の右側の端部に設けられており、閉の状態において、例えば利用者への釣銭等、出金口２へ搬送すべきものが、リジェクト部１６へと送られてしまうことを防ぐことができるものである。リジェクト部１６は、１０円が２０枚程度収納できるようにするとよい。
【００４５】
シャッタ機構１４は、開の状態になることによって出金搬送部１０によって図１（Ｂ）中、右方向に搬送された硬貨をリジェクト部１６へ、あるいは同方向に搬送された硬貨を金種毎に循環釣銭補充部１１へと振り分ける。
【００４６】
循環釣銭補充部１１は、各金種毎に、硬貨を収納する収納ケース２６、収納した硬貨を１枚ずつ放出するホッパ２７を有している。循環釣銭補充部１１は、釣銭部８ｄの図１（Ｂ）中、右側に併設されている。さらに循環釣銭補充部１１には、放出した硬貨を検知するための不図示の検知器を有しており、この検知器により循環釣銭補充部１１から放出した硬貨を金種毎に計数できる。また循環釣銭補充部１１は、釣銭部８と同様に、収納されている硬貨の量を検出する不図示の検出器を備えるようにしてもよい。
【００４７】
さらに循環釣銭補充部１１は、２金種の硬貨を収納できるように設定され、図１（Ｂ）中、左側が１００円用循環釣銭補充部１１ａ、右側が１０円用循環釣銭補充部１１ｂである（以下、これらを特に区別しない場合には単に循環釣銭補充部１１という）。また各循環釣銭補充部１１の収納可能枚数は、１００円用循環釣銭補充部１１ａ、１０円用循環釣銭補充部１１ｂがそれぞれ１０００枚程度とするとよい。
【００４８】
上昇補充搬送部１２は、循環釣銭補充部１１に設けられたホッパ２７により１枚ずつ放出された硬貨をベルトにより挟持して鉛直方向上方に搬送し、挟持された硬貨は、釣銭部８ｃ、ｄに連通するそれぞれの釣銭補充通路２８に搬送される。釣銭補充通路２８に搬送された硬貨は、重力により釣銭補充通路２８を通過し、釣銭部８ｃ、ｄに落下する。上昇補充搬送部１２により挟持され搬送される硬貨の搬送速さを、ホッパ２７より放出される硬貨の放出速さ以上にするとよい。本実施の形態では、制御手段である制御部１２によって循環釣銭補充部１１（ホッパ２７）から硬貨が放出される硬貨放出速さと、上昇補充搬送部１２の硬貨搬送速さが同じになりかつ両者が一定となるように制御されている。このようにすると上昇補充搬送部１２で硬貨の重なりを生じないので、上昇補充搬送部１２における硬貨の目詰まり、硬貨がベルトよりはみ出て搬送されず取り残されるということがなく、硬貨の搬送を１枚ずつ確実に行うことができる。また、硬貨がホッパ２７より放出される間隔を十分にとり、上昇補充搬送部１２で硬貨の重なりを生じないようにすることが望ましい。例えば、放出間隔に上昇補充搬送部１２の搬送速さをかけたものが最大硬貨の直径より大きくなるようにするとよい。
【００４９】
各循環釣銭補充部１１は、釣銭部８に収納された硬貨（１０円、１００円）が不足もしくは無くなった際に、上昇補充搬送部１２、釣銭補充通路２８を介して釣銭部８ｃ、ｄに硬貨を補充する。また、循環釣銭補充部１１に収納された硬貨（１０円、１００円）が不足もしくは無くなった際には、上昇釣銭搬送部９、出金搬送部１０を介して釣銭部８ｃ、ｄより、もしくは補充カセット１５より硬貨の補充を受けることができる。
【００５０】
補充カセット１５は、循環釣銭補充部１１の上部に設けられており、硬貨を金種毎に収納できる。さらに補充カセット１５は、４金種の硬貨を収納でき、図１（Ｃ）から見て左側が１０円用補充カセット１５ａ、右側が１００円用補充カセット１５ｂ、図１（Ｄ）から見て左側が５０円用補充カセット１５ｅ、右側が５００円用補充カセット１５ｄから構成されている（以下、これらを特に区別しない場合には単に補充カセット１５という）。また各補充カセット１５の収納可能枚数は、１０円用補充カセット１５ａ、１００円用補充カセット１５ｂがそれぞれ１０００枚程度、５０円用補充カセット１５ｅ、５００円用補充カセット１５ｄがそれぞれ５０枚程度とするとよい。さらに各金種による補充カセット１５は、一体に形成されている。各補充カセット１５は、循環釣銭補充部１１に収納された硬貨が不足もしくは無くなった際に、下部に備えられた不図示のシャッタを手動で開くことにより、循環釣銭補充部１１と予備補充部１７を介し釣銭部８に硬貨の供給をすることができる。
【００５１】
予備補充部１７は、補充カセット１５の下方で、釣銭部８の上方に設けられており、予備補充される硬貨を計数して釣銭部８に補充できる。予備補充部１７には硬貨を一枚ずつ分離するベルトホッパ３２と、放出枚数を計数する図示しない検知器とから構成される。さらに予備補充部１７は２金種を補充でき、図１（Ｂ）の右側が５０円予備補充部１７ａ、左側が５００円予備補充部１７ｂから構成されている（以下、これらを特に区別しない場合には単に予備補充部１７という）。各予備補充部１７は、補充された硬貨を計数して、予備補充通路３１を介して釣銭部８に硬貨を供給することができる。
【００５２】
本実施の形態では、上昇釣銭搬送部９と、出金搬送部１０と、シャッタ機構１４とを含んで、釣銭部８ｃ、ｄの硬貨を循環釣銭補充部１１に搬送する循環釣銭搬送部が構成されている。
【００５３】
図２のブロック図を参照して、硬貨処理装置１０１の設置について説明する。硬貨処理装置１０１は、典型的には、図示のような券売機の一角に設置される。図２は、券売機を、利用者が購入操作をする接客面とは反対側の、係員の操作面を示している。このような券売機は、係員が券売機を操作するためのモニタを有した操作盤、プリペイドカード等カード類を処理する原券処理装置、切符等を発行する印刷処理装置、紙幣を処理する紙幣処理装置で構成されており、硬貨処理装置１０１は、紙幣処理装置と併設される。また、硬貨処理装置１０１、印刷処理装置、紙幣処理装置は、各装置の下部に備えたスライドレール（硬貨処理装置１０１ではスライドレール２０（図１参照））により、容易に引き出すことができ、各装置の保守が容易に行なえるように券売機内に設置されている。
【００５４】
硬貨処理装置１０１のさらに下方には、金庫部２１が備えられており、金庫部２１は、容易に引き出し可能である。金庫部２１は、内部が仕切られており、１０円、５０円、１００円、５００円を金種毎に収納できる。硬貨処理装置１０１内の硬貨は、金庫部２１より、金種毎に１部もしくはすべてを回収することができる。本実施の形態では、硬貨処理装置１０１と金庫部２１とは別体としたが、運用する条件に合わせて一体に構成してもよい。
【００５５】
図１を参照して硬貨処理装置１の作用例を説明する。業務開始時には、釣銭部８、循環釣銭補充部１１、補充カセット１５にそれぞれ準備金を収納する。なお釣銭部８、循環釣銭補充部１１、補充カセット１５のそれぞれ準備金の量は、運用状況等により適宜決めるようにすることが好ましが、例えば、釣銭部８の１００円用釣銭部８ｃ、１０円用釣銭部８ｄは、各８００枚ずつ、循環釣銭補充部１１の１００円用循環釣銭補充部１１ａ、１０円用循環釣銭補充部１１ｂは、それぞれ空の状態、補充カセット１５の１０円用補充カセット１５ａ、１００円用補充カセット１５ｂは、各１０００枚ずつ準備金を収納してもよい。
【００５６】
図１を参照して硬貨処理装置１０１の入金動作を説明する。ここで、硬貨の経路を図中太線Ｌ１（太線Ｌ１が通る部品を符号で示すと、符号１→３→４→５→６→７となる）、太破線Ｌ２（符号６→２９→１０→２）で示す。まず利用者により投入口部１へ硬貨が投入される。硬貨処理装置１０１は、硬貨の投入を不図示の検知器により検知すると購入処理動作を開始する。次に利用者により投入口部１に投入された硬貨は、繰出部３に送られる。繰出部３は、送られてきた硬貨を１枚ずつ入金搬送部４に繰り出す。
【００５７】
そして繰出部３は、硬貨の搬送を所定時間行った後停止する。所定時間は、例えば、投入口部１に投入されうる最大の枚数の最小硬貨を繰り出すことができる時間とするとよい。硬貨処理装置１０１は、繰出部３の停止後、繰出部３内の残留物の検出を、図示しない検知器により行い、残留物がなければ繰出部３の入金動作を終了する。また硬貨処理装置１０１は、繰出部３の所定時間の停止後においても検知器による残留物が確認された場合には、繰出部３が入金とは逆方向へのベルト搬送がなされ、リジェクトフラッパ２２を出金口２に対して閉から開にすることにより出金口２に異物が排出できる。
【００５８】
次に繰出部３から１枚ずつ搬送されてきた硬貨は、入金搬送部４により検銭部５に搬送される。検銭部５は、搬送されてきた硬貨を識別し、金種および枚数を判定して、判定結果を制御部１９に出力する。そして検銭部５を通過した硬貨は、さらに入金搬送部４により振分部６へ搬送される。
【００５９】
振分部６は、検銭部５の判定結果から、正硬貨とされたものを金種毎に一時保留部７へ、第１リジェクト硬貨とされたものを入金リジェクト通路２９へと不図示のフラッパによりそれぞれ振り分ける。同時に、入金された正硬貨は、振分部６に備えられた不図示の検知器により計数され、振分部６より入金データとして制御部１９へ出力される。また第１リジェクト硬貨は、入金リジェクト通路２９から出金搬送部１０へ排出され、さらに出金搬送部１０により出金口２へ排出される。
【００６０】
次に図３を参照して硬貨処理装置１０１の出金動作を説明する。ここで、硬貨の経路を図中太線Ｌ３（符号８→９→１０）・Ｌ４（符号１０→２）、太破線Ｌ５（符号１０→１４→１６）で示す。利用者による入金を確認すると、硬貨処理装置１０１は、利用者による物品購入等の操作を受け付ける。利用者による物品購入等の操作がなされると、制御部１９は、入金された硬貨の金額と、利用者の操作により入力されたサービスに必要な金額とを比較して、釣銭金額すなわち釣銭に必要な硬貨の金種と各々の金種の枚数を算出する。この際釣銭がある場合には、制御部１９は、この算出結果に基づいて、必要な硬貨の金種と枚数の放出する信号を釣銭部８へ出力する。これにより釣銭部８は、制御部１９からの信号により必要な硬貨を出金搬送部１０に放出する。また釣銭が必要ない場合には、制御部１９は、物品や伝票を送出し購入処理動作を終了する。
【００６１】
釣銭部８から１枚ずつ放出された硬貨は、上昇釣銭搬送部９に放出される。同時に制御部１９は、上昇釣銭搬送部９の不図示の駆動手段を駆動し、ベルト間に挟持された硬貨を出金搬送部１０へ放出する。上昇釣銭搬送部９から放出された硬貨は、出金搬送部１０に落下する。同時に制御部１９は、出金搬送部１０を不図示の駆動手段により駆動し、釣銭硬貨を出金口２のある方向に搬送し、出金口２へ放出する。またこのとき硬貨は、出金搬送部１０の搬送方向と逆方向に移動するものがある。このような硬貨は、出金搬送部１０に備えられたシャッタ機構１４により、逆方向への移動が阻止される。このようにして、釣銭部８より放出された全ての釣銭硬貨は、出金搬送部１０により出金口２に搬送され、物品や伝票を送出し購入処理動作を終了する。
【００６２】
また、上述の釣銭部８の硬貨の放出時に、例えば過剰に硬貨を放出してしまうような異常が発生する場合がある。この場合、既に釣銭部８より放出され、出金搬送部１０にある硬貨は、そのまま必要な硬貨のみを出金口２に搬送することができない。このため、これらの硬貨は、第２リジェクト硬貨として、出金搬送部１０を、出金口２の方向と逆方向すなわちリジェクト部１６の方向に駆動し、同時にシャッタ機構１４を開の状態にするすることにより、リジェクト部１６に搬送される。その後、再度釣銭部８より必要な硬貨の放出を行い、前述のように出金口２から釣銭としての硬貨を放出する。またこのとき、過剰放出等の異常が繰り返し発生した場合には、装置異常として処理を停止する。
【００６３】
次に、図４を参照して硬貨処理装置１０１の返却動作を説明する。ここで、硬貨の経路を図中太線Ｌ６（符号７→２３→１０→２）で示す。制御部１９は、利用者が硬貨を投入した後、利用者による取引を取り消す際に返却操作がされた場合には、一時保留部７より返却通路２３へ一時保留されている硬貨を放出する。同時に制御部１９は、出金搬送部１０の不図示の駆動手段を駆動する。返却通路２３からの返却硬貨は、駆動手段により出金口２方向への搬送が行われている出金搬送部１０上に放出され、出金口２へ返却される。
【００６４】
そして図５を参照して硬貨処理装置１０１の釣銭部８への収納動作を説明する。ここで、硬貨の経路を図中太線Ｌ７（符号７→３０→８）で示す。制御部１９は、次の取引で投入された硬貨のうち、最初の硬貨が検銭部５で検知されたときに、一時保留部７より、前の取引で一時保留部７に一時保留していた硬貨を、釣銭通路３０に放出する。これにより、一時保留部７に一時保留された硬貨は、釣銭通路３０より釣銭部８へ収納される。すなわち、一時保留部７は、空になっている状態で、次の取引で投入された硬貨を受け付ける。
【００６５】
図６を参照して硬貨処理装置１０１の釣銭部８への補充および循環動作を説明する。ここで、硬貨の経路を図中太線Ｌ８（符号１１→１２→２８→８）、Ｌ９（符号８→９→１０→１４→１１）、Ｌ１０（符号１５→３３→８）で示す。ここでいう、釣銭部８は、１００円用釣銭部８ｃまたは１０円用釣銭部８ｄ、また循環釣銭補充部１１は、１００円用循環釣銭補充部１１ａまたは１０円用循環釣銭補充部１１ｂのことをいう。硬貨処理装置１０１は、運用を行なっている際に、釣銭部８に収納された硬貨の量が所定の量より少なくなった場合、循環釣銭補充部１１より釣銭部８に硬貨を補充する。
【００６６】
制御部１９は、釣銭部８に備えられた硬貨の量を検出する不図示の検出器と、制御部１９で逐次的に計数されている硬貨の枚数との両方、またはどちらか一方より、釣銭部８に収納されている硬貨の量が所定の量より少なくなったと判断すると、循環釣銭補充部１１に必要な硬貨を放出させる。また制御部１９は、同時に上昇補充搬送部１２の不図示の駆動手段を駆動する。
【００６７】
循環釣銭補充部１１より１枚ずつ放出された硬貨は、上昇補充搬送部１２の駆動手段により駆動される搬送ベルトにより釣銭補充通路２８まで搬送され、釣銭補充通路２８を介して釣銭部８まで搬送され、釣銭部８に補充される。このとき補充された硬貨の枚数は、循環釣銭補充部１１のホッパ２７に備えられた不図示の検知器により計数される。このような制御は、金種毎すなわち１０円、１００円毎に独立して行なわれる。
【００６８】
また硬貨処理装置１０１は、釣銭部８に収納された硬貨が所定の量より多くなった場合には、釣銭部８より循環釣銭補充部１１に硬貨を移動する。制御部１９は、釣銭部８に備えられた硬貨の量を検出する不図示の検出器と、制御部１９で逐次的に計数されている硬貨の枚数との両方、またはどちらか一方より、釣銭部８に収納されている硬貨の量が所定の量より多くなったと判断すると、所定の量より多い硬貨を釣銭部８より放出させる。また制御部１９は、同時に上昇釣銭搬送部９、出金搬送部１０を駆動する。
【００６９】
釣銭部８より放出された硬貨は、釣銭放出動作と同様に上昇釣銭搬送部９まで放出され、上昇釣銭搬送部９によって出金搬送部１０まで搬送される。出金搬送部１０まで搬送された硬貨は、循環釣銭硬貨として、出金搬送部１０を釣銭の放出動作とは逆方向に駆動し、同時にシャッタ機構１４を駆動することにより、出金搬送部１０、シャッタ機構１４を経て、循環釣銭補充部１１に収納される。すなわち、循環釣銭搬送部として、上昇釣銭搬送部１２と出金搬送部１０とが兼用され、循環釣銭搬送部はシャッタ機構１４をも含んだものである。このとき収納された硬貨の枚数は、釣銭部８のホッパ２７に備えられた不図示の検知器より計数される。このような制御は、金種毎すなわち１００円、１０円毎に独立して行なわれる。また所定の量は、釣銭部８に収納されている硬貨の量が満杯よりやや少ない量例えば、収納ケース２４の容量の８割程度とするとよいが、例えば釣銭部８が満杯となる状態としてもよいし、運用状態により適宜決めてよい。
【００７０】
また、釣銭部８に収納されている硬貨の量が所定の量より少なくなったと判断した場合であっても、循環釣銭補充部１１に収納されている硬貨の量が必要な量に満たない場合には、係員により、補充カセット１５から、補充カセット１５と循環釣銭補充部１１とを繋ぐ補充通路３３を経て、循環釣銭補充部１１に硬貨を供給することができる。さらにこのような場合には、補充カセット１５から循環釣銭補充部１１に供給された硬貨は、直ちに釣銭部８に補充される。
【００７１】
図７を参照して、係員により行われる補充カセット１５による補充であって、循環釣銭補充部１１に収納される金種以外の金種の硬貨についての補充について説明する。ここで、硬貨の経路を図中太線Ｌ１１（符号１７（３２）→３１→８）で示す。この場合には補充カセット１５により補充される硬貨（５０円、５００円）は、予備補充部１７のベルトホッパ３２に一旦収納され、ベルトホッパ３２の駆動により分離が行われ、予備補充通路３１から釣銭部８に収納される。このとき収納された硬貨の枚数は、予備補充部１７のベルトホッパ３２の放出口の近傍に設けられた不図示の検知器により計数される。例えば５０円の釣銭がない場合では、釣銭が６０円の場合に１０円の６枚放出に対し、このように補充カセット１５から釣銭部８へ補充されることにより、５０円の１枚と１０円の１枚との放出で済むので、釣銭部８からの釣銭の放出枚数を少なくすることができ、利用者にとっても受け取る小銭の枚数が少なくなる。この予備補充は運用により前述した業務開始時の準備金の作業時に補充カセット１５を用いて行っても、また、適宜な事象にて、補充カセット１５を用いずに行われてもよい。
【００７２】
図８を参照して硬貨処理装置１０１の回収動作を説明する。ここで、硬貨の経路を図中太線Ｌ１２（符号８→１８→２１）、Ｌ１３（符号１１→１２→２８→８→１８→２１）で示す。硬貨処理装置１０１は、釣銭部８に収納されている硬貨の量が所定の量より多くなったと判断した場合であっても、循環釣銭補充部１１が満杯の場合や、業務終了時に係員による回収操作がなされた場合には、金庫部２１（図２参照）への回収動作を行なう。
【００７３】
釣銭部８に収納されている硬貨の量が所定の量より多くなったと判断した場合であっても、循環釣銭補充部１１が満杯の場合、制御部１９は、所定の量より多い硬貨を釣銭部８より金庫部２１へ放出させる。これにより循環釣銭補充部１１から上昇補充搬送部１２によって放出され、釣銭補充通路２８を経て釣銭部８に回収され、さらに釣銭部８から放出された硬貨は、金庫部通路１８を経て、金庫部２１へと落ちることで金庫部２１に回収される。
【００７４】
また、業務終了時に係員による回収操作がなされた場合には、まず釣銭部８に収納された硬貨を金庫部２１へ放出させて回収した後、循環釣銭補充部１１に収納された硬貨を、釣銭部８を介して金庫部２１へと回収する。またこのような場合は、前述のように釣銭部８より循環釣銭補充部１１に硬貨を移動する動作、または循環釣銭補充部１１より釣銭部８に硬貨を補充する動作により、循環釣銭補充部１１に収納されている硬貨の量を、前述の所定の量に調整した後、釣銭部８に収納された硬貨を金庫部２１に回収する。そして、循環釣銭補充部１１に収納されている硬貨を釣銭部８に補充する。これにより係員は、業務終了時の回収操作と同時に、業務開始時の準備金の収納を行なうことができる。
【００７５】
以上の本実施の形態の硬貨処理装置１０１によれば、上昇釣銭搬送部９は、各釣銭部８に設けられたホッパ２５により１枚ずつ放出された硬貨をベルトにより挟持して鉛直方向上方に搬送し、挟持された硬貨は出金搬送部１０によって水平に搬送される。そのため上昇釣銭搬送部９で硬貨の重なりが起きにくく、上昇釣銭搬送部９における硬貨の目詰まりが生ぜず、硬貨が上昇釣銭搬送部９のベルトよりはみ出て搬送されるようなことがないようにしっかりと挟持され、また上昇釣銭搬送部９のベルトに取り残されることがないので、硬貨の搬送を１枚ずつ確実に行うことができる。
【００７６】
また、上昇補充搬送部１２は、各循環釣銭補充部１１に設けられたホッパ２７により１枚ずつ放出された硬貨を上昇補充搬送部１２のベルトにより挟持して鉛直方向上方に搬送し、挟持された硬貨は出金搬送部１０によって水平に搬送される。上昇補充搬送部１２で硬貨の重なりを生じないので、上昇補充搬送部１２における硬貨の目詰まりが生ぜず、硬貨が上昇補充搬送部１２のベルトよりはみ出て搬送されるようなことがないようにしっかりと挟持され、また上昇補充搬送部１２のベルトに取り残されることがないので、硬貨の搬送を１枚ずつ確実に行うことができる。
【００７７】
本発明の硬貨処理装置１０１は、釣銭部８および循環釣銭補充部１１に収納された硬貨を循環させて利用することができるので、収納された硬貨を釣銭として効率よく利用することができ、準備金の量を少なくすることも可能になる。釣銭部から循環釣銭補充部１１へ硬貨を収納し回収することができるので、金庫部に回収する硬貨の量を減らすことができ、係員の回収の負担を低減することができる。
【００７８】
硬貨処理の継続により、硬貨処理装置１０１への硬貨の投入枚数が硬貨の釣銭枚数よりも多いときには釣銭部８の硬貨が過剰になりあふれ出すことになるので、釣銭部８の硬貨が所定枚数以上になったときには、硬貨は釣銭部８から循環釣銭補充部１１に回収することができる。一方、硬貨の投入枚数が硬貨の放出枚数よりも少ないときには、循環釣銭補充部１１から釣銭部８に補充することができる。
【００７９】
また、循環釣銭補充部１１によって釣銭部８に硬貨を補充し、あるいは循環釣銭補充部１１によって釣銭部８から循環釣銭補充部１１に硬貨を回収することにより、釣銭部８内の硬貨を所定の量にすることができる。このことにより、前述したように、業務の終了時の回収操作では、循環釣銭補充部１１に準備金として必要な所定枚数を計数して収納しておいて、過剰分の硬貨を釣銭部８から金庫部２１に回収する。その上で、業務開始の作業として、準備金として足りない分の硬貨のみ補充し、循環釣銭補充部１１から釣銭部８に準備金を移動することで、作業を終了することができる。金庫部２１への回収硬貨は、釣銭部８によって計数することが可能であり、係員の一連の作業としては、準備金として足りない分の補充作業を除けば同時に行うことができ、その負担を低減することができる。
【００８０】
また、本発明の硬貨処理装置１０１は、補充カセット１５を備えるので、循環釣銭補充部１１で硬貨不足が発生した際に、循環釣銭補充部１１あるいは釣銭部８に硬貨を補充することができる。補充カセット１５から釣銭部８への補充は、５０円、１００円硬貨については、釣銭部８に直接に補充することができ、１００円、１０円については、循環釣銭補充部１１を介して釣銭部８に補充することができる。
【符号の説明】
【００８１】
１  投入口部
２  出金口
３  繰出部
４  入金搬送部
５  検銭部
６  振分部
７  一時保留部
８  釣銭部
９  上昇釣銭搬送部
１０  出金搬送部
１１  循環釣銭補充部
１２  上昇補充搬送部
１３  循環釣銭搬送部
１４  シャッタ機構
１５  補充カセット
１６  リジェクト部
１７  予備補充部
１８  金庫部通路
１９  制御部
２０  スライドレール
２１  金庫部
２２  リジェクトフラッパ
２３  返却通路
２４  収納ケース
２５  ホッパ
２６  収納ケース
２７  ホッパ
２８  釣銭補充通路
２９  入金リジェクト通路
３０  釣銭通路
３１  予備補充通路
３２  ベルトホッパ
３３  補充通路
１０１  硬貨処理装置
【図１】
2011086318.tif 000003
【図２】
2011086318.tif 000004
【図３】
2011086318.tif 000005
【図４】
2011086318.tif 000006
【図５】
2011086318.tif 000007
【図６】
2011086318.tif 000008
【図７】
2011086318.tif 000009
【図８】
2011086318.tif 000010
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
利用者が硬貨を投入する投入口部と；
前記利用者に返却する硬貨を出金する出金口と；
前記投入口部から投入された硬貨を金種毎に一時保留し、前記一時保留した硬貨を放出する一時保留部と；
前記投入口部から投入され、前記一時保留部に一時保留された硬貨を前記出金口に向けて導く返却通路と；
前記一時保留部から放出された硬貨を金種毎に収納するとともに、収納した硬貨を１枚ずつ放出可能に構成された複数の釣銭部と；
前記複数の釣銭部から放出された硬貨を上方に搬送する上昇釣銭搬送部であって、前記複数の釣銭部にそれぞれ設けられた複数の上昇釣銭搬送部と；
前記複数の上昇釣銭搬送部によって搬送された硬貨を前記出金口に向けて水平に搬送し、前記出金口に放出する出金搬送部であって、前記一時保留部の下方に設けられた出金搬送部とを備え；
前記一時保留部は、前記一時保留した硬貨を前記複数の釣銭部に放出し、前記利用者の取引中止による返却操作があった場合には、前記一時保留した硬貨を前記返却通路に放出し；
前記返却通路は、前記一時保留部から放出された硬貨を前記出金搬送部上に放出し；
前記出金搬送部は、前記返却通路により放出された硬貨を水平方向から上方に硬貨の搬送方向を転換することなく、前記出金口に向けて水平に搬送し、前記出金口に放出する；
硬貨処理装置。
【請求項２】
前記一時保留部は、開となることにより前記一時保留した硬貨を前記複数の釣銭部に放出する第１のシャッタと、開となることにより前記一時保留した硬貨を前記返却通路に放出する第２のシャッタとを有する；
請求項１に記載の硬貨処理装置。
【請求項３】
前記釣銭部から放出された硬貨が、前記上昇釣銭搬送部で重なりを生じないように構成された；
請求項１または請求項２に記載の硬貨処理装置。
【請求項４】
前記釣銭部に硬貨を補充し、前記釣銭部から硬貨を回収する循環釣銭補充部を備える；  請求項１乃至請求項３のいずれか１項に記載の硬貨処理装置。
【請求項５】
前記出金搬送部が、前記上昇釣銭搬送部によって搬送された硬貨を前記循環釣銭補充部に向けて水平に搬送する；
請求項４に記載の硬貨処理装置。
【請求項６】
前記循環釣銭補充部が、収納している硬貨を補充硬貨として１枚ずつ放出する硬貨処理装置であって；
前記循環釣銭補充部によって放出された硬貨を上方に搬送する上昇補充搬送部とを備える；
請求項４または請求項５に記載の硬貨処理装置。
【請求項７】
前記循環釣銭補充部に硬貨を補充する補充カセットを備える；
請求項４乃至請求項６のいずれか１項に記載の硬貨処理装置。
【手続補正２】
【補正対象書類名】明細書
【補正対象項目名】０００８
【補正方法】変更
【補正の内容】
【０００８】
上記目的を達成するために、第１の態様に係る発明による硬貨処理装置１０１は、例えば図１に示すように、硬貨を投入する投入口部１と；返却する硬貨を出金する出金口２と；投入口部１から投入された硬貨を一時保留し、一時保留後に放出する一時保留部７と；一時保留部７から放出された硬貨を収納するとともに、収納した硬貨を１枚ずつ放出可能に構成された釣銭部８と；釣銭部８から放出された硬貨を上方に搬送する上昇釣銭搬送部９と；上昇釣銭搬送部９によって搬送された硬貨を出金口２に向けて略水平に搬送する出金搬送部１０とを備える。
【手続補正３】
【補正対象書類名】明細書
【補正対象項目名】００１０
【補正方法】変更
【補正の内容】
【００１０】
第２の態様に係る発明による硬貨投入装置は、第１の態様の硬貨処理装置において、例えば図１に示すように、釣銭部８から放出された硬貨が、上昇釣銭搬送部９で重なりを生じないように構成される。
【手続補正４】
【補正対象書類名】明細書
【補正対象項目名】００１２
【補正方法】変更
【補正の内容】
【００１２】
第３の態様に係る発明による硬貨投入装置は、第１の態様または第２の態様の硬貨投入装置において、例えば図１に示すように、釣銭部８に硬貨を補充し、釣銭部８から硬貨を回収する循環釣銭補充部１１を備える。
【手続補正５】
【補正対象書類名】明細書
【補正対象項目名】００１５
【補正方法】変更
【補正の内容】
【００１５】
第４の態様に係る発明による硬貨処理装置１０１は、第３の態様の硬貨処理装置において、例えば図１に示すように、出金搬送部１０が、上昇釣銭搬送部１２によって搬送された硬貨を循環釣銭補充部１１に向けて略水平に搬送する。
【手続補正６】
【補正対象書類名】明細書
【補正対象項目名】００１７
【補正方法】変更
【補正の内容】
【００１７】
第５の態様に係る発明による硬貨処理装置１０１は、第３の態様または第４の態様の硬貨処理装置１０１において、例えば図１に示すように、循環釣銭補充部１１が、収納している硬貨を１枚ずつ放出する硬貨処理装置であって；循環釣銭補充部１１によって放出された硬貨を上方に搬送する上昇補充搬送部１２を備える。
【手続補正７】
【補正対象書類名】明細書
【補正対象項目名】００１９
【補正方法】変更
【補正の内容】
【００１９】
第６の態様に係る発明による硬貨処理装置１０１は、第３の態様乃至第５の態様のいずれか１の態様の硬貨処理装置１０１において、例えば図１に示すように、循環釣銭補充部１１に硬貨を補充する補充カセット１５を備える。
【手続補正８】
【補正対象書類名】明細書
【補正対象項目名】００２１
【補正方法】変更
【補正の内容】
【００２１】
第７の態様に係る発明による硬貨処理装置１０１は、第６の態様の硬貨処理装置１０１において、例えば図１に示すように、釣銭部８に硬貨を補充する予備補充部１７を備え；循環釣銭補充部１１が、所定の第１金種の硬貨を釣銭部８に補充し；予備補充部１７が、前記所定の第１金種以外の第２金種の硬貨を釣銭部８に補充する。
【手続補正９】
【補正対象書類名】明細書
【補正対象項目名】００２３
【補正方法】変更
【補正の内容】
【００２３】
第８の態様に係る発明による硬貨処理装置１０１は、第７の態様の硬貨処理装置１０１において、例えば図１に示すように、補充カセット１５が、前記第１金種の硬貨を循環釣銭補充部１１に補充し；補充カセット１５が、前記第２金種の硬貨を予備補充部１７に補充する。